(57)【要約】  簡素で安価な構成によりコンテナとして最小限必要な機械強度および耐久性を有しながら、上下複数段に積み重ねることのできるフレキシブルコンテナバッグ利用容器が望まれている。このフレキシブルコンテナバッグ利用容器（１）は、上面開口（２Ａ）を有する有底筒状に形成されていて可撓性を有するフレキシブルコンテナバッグ（２）と、上下開口して形成されていてフレキシブルコンテナバッグ（２）内に設置される紙製の剛性筒体（３）と、フレキシブルコンテナバッグ（２）の下面（２Ｃ）に固定されフレキシブルコンテナバッグ（２）を介して剛性筒体（３）を載置するパレット部材（４）とを備えた構成にしてある。また、パレット部材（４）を着脱自在に固定するための固定構造（６）が、フレキシブルコンテナバッグ（２）およびパレット部材（４）に設けられている。
2018073856.tif 000002
【特許請求の範囲】
【請求項１】
上面が開口した有底筒状に形成されていて可撓性を有するフレキシブルコンテナバッグと、上下が開口して形成されていて前記フレキシブルコンテナバッグ内に設置される紙材製の剛性筒状体と、前記フレキシブルコンテナバッグの下面に固定され前記フレキシブルコンテナバッグを介して前記剛性筒状体を載置するパレット部材と、を備えて成ることを特徴とするフレキシブルコンテナバッグ利用容器。
【請求項２】
前記パレット部材が、棒心を水平に向けて互いに平行に離間配置された紙材製の２つの側棒材と、前記２つの側棒材を載置して固設された紙材製の下平板材と、前記２つの側棒材の上面に載置されて固設された紙材製の上平板材と、前記２つの側棒材の間かつ前記上平板材と前記下平板材の間に配置された紙材製の支持用棒材と、から構成されていることを特徴とする請求項１に記載のフレキシブルコンテナバッグ利用容器。
【請求項３】
前記パレット部材を着脱自在に固定するための固定構造が、前記フレキシブルコンテナバッグの下面に固着された布状の固定部材と、前記パレット部材に上下連通して形成された連通穴と、から構成されていて、前記固定部材が前記連通穴を通されて前記側棒材に巻き付けられることにより前記パレット部材が前記フレキシブルコンテナバッグに固定されることを特徴とする請求項２に記載のフレキシブルコンテナバッグ利用容器。
【請求項４】
前記パレット部材における側棒材と支持用棒材が、それぞれフォークリフトのフォーク爪部材を挿通可能な挿通用隙間を有して互いに離間配置されていることを特徴とする請求項２または請求項３に記載のフレキシブルコンテナバッグ利用容器。
【請求項５】
前記パレット部材における側棒材および支持用棒材が、水平方向に積層されて相互に固着された複数枚の段ボール板で構成されていることを特徴とする請求項２から請求項４までのいずれか一項に記載のフレキシブルコンテナバッグ利用容器。
【請求項６】
前記剛性筒状体が、中芯が平面視で波形に見える向きに配置された段ボール板で筒状に形成されていることを特徴とする請求項１から請求項５までのいずれか一項に記載のフレキシブルコンテナバッグ利用容器。
【請求項７】
前記剛性筒状体が、筒心方向に沿って切断されて周方向に切り離されていることを特徴とする請求項１から請求項６までのいずれか一項に記載のフレキシブルコンテナバッグ利用容器。
【発明の詳細な説明】
【技術分野】
【０００１】  本発明は、上面が開口した有底筒状に形成されたフレキシブルコンテナバッグを用いたフレキシブルコンテナバッグ利用容器に関するものである。
【背景技術】
【０００２】  従来、この種のフレキシブルコンテナバッグとしては、下記の特許文献１に記載されたものが知られている。このフレキシブルコンテナバッグは、上面が開口した有底筒状に形成されていて、可撓性を有するターポリンなどの素材で構成されている。このフレキシブルコンテナバッグの下面には、フォークリフトのフォーク爪部材が挿通される筒状のフォークポケットが設けられている。このフレキシブルコンテナバッグでは、上面開口から内容物が収容されたのち、フォークポケットにフォークリフトのフォーク爪部材が挿し込まれて運搬されるようになっている。
【先行技術文献】
【特許文献】
【０００３】
【特許文献１】特開２００３−１６０１９１号公報（日本国）
【発明の概要】
【発明が解決しようとする課題】
【０００４】  ところで、前記した文献記載の技術において、フレキシブルコンテナバッグは可撓性を有しているので、内容物の外形に応じて袋形状が変わる。一方、内容物の種類によっては、外力を受けて変形したり破損したりするものがある。そのために、内容物を収容したフレキシブルコンテナバッグを上下複数段に積み重ねることはできない。このようにフレキシブルコンテナバッグを上下に積み重ねできないことから、保管スペースを広く取らざるを得ないという問題があった。  他方で、フレキシブルコンテナバッグを上下に積み上げ可能に構成しようとすると、耐荷重性能を高めるために上下方向の高い剛性が必要になる。そのためには、フレキシブルコンテナバッグを保護する為の、金属製或いはダンボール製などの箱を使用せざるを得ず、製造コストが高くつくという問題を生じる。【０００５】  本発明は、上記した従来の問題点に鑑みてなされたものであって、簡素で安価な構成によりコンテナとして最小限必要な機械強度および耐久性を有しながら、上下複数段に積み重ねることもできるフレキシブルコンテナバッグ利用容器の提供を目的とする。
【課題を解決するための手段】
【０００６】  上記目的を達成するために、本発明に係るフレキシブルコンテナバッグ利用容器は、上面が開口した有底筒状に形成されていて可撓性を有するフレキシブルコンテナバッグと、上下が開口して形成されていて前記フレキシブルコンテナバッグ内に設置される紙材製の剛性筒状体と、前記フレキシブルコンテナバッグの下面に固定され前記フレキシブルコンテナバッグを介して前記剛性筒状体を載置するパレット部材と、を備えて成ることを特徴とするものである。【０００７】  また、前記構成において、前記パレット部材が、棒心を水平に向けて互いに平行に離間配置された紙材製の２つの側棒材と、前記２つの側棒材を載置して固設された紙材製の下平板材と、前記２つの側棒材の上面に載置されて固設された紙材製の上平板材と、前記２つの側棒材の間かつ前記上平板材と前記下平板材の間に配置された紙材製の支持用棒材と、から構成されていることを特徴とするものである。【０００８】  そして、前記構成において、前記パレット部材を着脱自在に固定するための固定構造が、前記フレキシブルコンテナバッグの下面に固着された布状の固定部材と、前記パレット部材に上下連通して形成された連通穴と、から構成されていて、前記固定部材が前記連通穴を通されて前記側棒材に巻き付けられることにより前記パレット部材が前記フレキシブルコンテナバッグに固定されることを特徴とするものである。【０００９】  更に、前記した構成において、前記パレット部材における側棒材と支持用棒材が、それぞれフォークリフトのフォーク爪部材を挿通可能な挿通用隙間を有して互いに離間配置されていることを特徴とするものである。【００１０】  また、前記した各構成において、前記パレット部材における側棒材および支持用棒材が、水平方向に積層されて相互に固着された複数枚の段ボール板で構成されていることを特徴とするものである。【００１１】  そして、前記した各構成において、前記剛性筒状体が、中芯が平面視で波形に見える向きに配置された段ボール板で筒状に形成されているものである。【００１２】  更に、前記した各構成において、前記剛性筒状体が、筒心方向に沿って切断されて周方向に切り離されていることを特徴とするものである。
【発明の効果】
【００１３】  本発明によれば、パレット部材が下面に固定されたフレキシブルコンテナバッグ内に紙材製の剛性筒状体が設置され、その剛性筒状体がフレキシブルコンテナバッグの底面を介して間接的にパレット部材の上面に載置・支持されることにより、フレキシブルコンテナバッグ利用容器が構成される。従って、このような簡素な構成でありながら、剛性筒状体が上下方向の十分な剛性を備えているので、複数のフレキシブルコンテナバッグ利用容器を上下に積み重ねることができる。加えて、本発明のフレキシブルコンテナバッグ利用容器は、汎用で入手容易なフレキシブルコンテナバッグと、紙材製の剛性筒状体と、パレット部材とを備えるだけなので、極めて簡素な構成で安価に提供され得る。更に、パレット部材の全てが紙材および接着剤で構成されている場合は金属製部品を使用しなくて済むから、長期使用後の寿命により廃棄する際でも可燃物のみであるために、金属製部品の分別を必要としない。【００１４】  また、パレット部材が、全て紙材製である、側棒材、下平板材、上平板材、および支持用棒材で構成されているものでは、軽量でありながら耐荷重性能の高いパレット部材を、極めて入手容易で安価な紙材を使用して提供することができる。【００１５】  また、フレキシブルコンテナバッグにパレット部材を着脱自在に固定するための固定構造を有するものでは、この固定構造によりフレキシブルコンテナバッグの下面に対してパレット部材を固定したり取り外したりすることができる。これにより、フォークリフトのフォーク爪部材を使用しない場合、フレキシブルコンテナバッグ利用容器を上下複数段に積み重ねしない場合、フレキシブルコンテナバッグを別途に保管しておく場合、あるいは容器寿命満了後のフレキシブルコンテナバッグ利用容器を廃棄処分に供する場合などに、フレキシブルコンテナバッグからパレット部材を取り外すことができ、幅広い使用形態に対応することができる。【００１６】  更に、パレット部材における側棒材と支持用棒材が、それぞれフォークリフトのフォーク爪部材を挿通可能な挿通用隙間を有して互いに離間配置されているものでは、側棒材と支持用棒材の間の挿通用隙間にフォーク爪部材を差し込むことができ、その後フォークリフトによりフレキシブルコンテナバッグ利用容器を持ち上げて運搬できる。【００１７】  また、パレット部材における側棒材および支持用棒材が、水平方向に積層されて相互に固着された複数枚の段ボール板で構成されているものでは、金属製品や合成樹脂成型品のパレットの代替材料として段ボール板を用いたことにより、比較的高い機械的強度を有しているにも拘わらず、入手容易かつ安価に製造することができる。【００１８】  そして、剛性筒状体が、中芯が平面視で波形に見える向きに配置された段ボール板で筒状に形成されているものでは、入手容易かつ安価に製造できるのは無論のこと、上下方向の機械的強度が高いので、複数の利用容器の上下段積み態様にも耐えることができる。加えて、剛性筒状体において周方向に関するいずれの部位にも上下方向の折り曲げ線を創り出せるので、フレキシブルコンテナバッグの内周面形状に応じて剛性筒状体の平面視の筒形状を変えることができる。また、保管時には、創出した折り曲げ線で折り返して折り畳んだ状態にすることにより、コンパクトな形態にして保管することができる。【００１９】  更に、剛性筒状体が筒心方向に沿って切断されて周方向に切り離されているものでは、複数を重ね合わせて纏めることができる。これにより、円筒体に形成された剛性筒状体と比べて、大きなスペースを無駄に使うことなく、多数の剛性筒状体を見栄え良く保管することができる。また、この切り離し剛性筒状体を段ボール板で構成した場合は、適宜部位で折り返して平面状に畳んで保管することができる。
【図面の簡単な説明】
【００２０】
【図１】本発明の一実施形態に係るフレキシブルコンテナバッグ利用容器を示す外観図である。
【図２】前記フレキシブルコンテナバッグ利用容器を構成する各部品を示す分解斜視図である。
【図３】前記フレキシブルコンテナバッグ利用容器のフレキシブルコンテナバッグおよび固定部材を示す底面図である。
【図４】前記フレキシブルコンテナバッグ利用容器のパレット部材を示す図であって、（ａ）は平面図、（ｂ）は正面図、（ｃ）は側面図、（ｄ）は底面図である。
【図５】前記フレキシブルコンテナバッグ利用容器の固定構造によりパレット部材をフレキシブルコンテナバッグに固定した状態を示す底面図である。
【図６】前記フレキシブルコンテナバッグ利用容器のフレキシブルコンテナバッグ内に剛性筒状体を収容した状態を示す平面図である。
【図７】図６におけるＡ−Ａ線矢視断面図である。
【図８】２つのフレキシブルコンテナバッグ利用容器を上下に積み重ねた態様を正面から見た状態説明図である。
【図９】本発明のフレキシブルコンテナバッグ利用容器に用いられる剛性筒状体の別例を示す図であって、（ａ）は別の実施形態に係る剛性筒状体を示す平面図、（ｂ）は更に別の実施形態に係る剛性筒状体を示す平面図、（ｃ）は他の実施形態に係る剛性筒状体を示す平面図である。
【図１０】前記剛性筒状体を保管する態様を示す図であって、（ａ）は図９（ａ）に示した別の実施形態に係る剛性筒状体を折り畳んだ状態を示す平面図、（ｂ）は図９（ｂ）に示した更に別の実施形態に係る剛性筒状体を複数枚重ねて纏めた状態を示す外観図である。
【符号の説明】
【００２１】１  フレキシブルコンテナバッグ利用容器２  フレキシブルコンテナバッグ２Ａ  上面開口２Ｂ  底面２Ｃ  下面３，３ａ，３ｂ，３ｃ  剛性筒状体３Ｇ  段ボール板３Ｉ  中芯４  パレット部材４Ａ  側棒材４Ｂ  下平板材４Ｃ  上平板材４Ｄ  支持用棒材４Ｅ，４Ｇ  連通穴４Ｆ  挿通用隙間４Ｈ  段ボール板５  固定部材５Ｄ，５Ｅ  面ファスナ６  固定構造Ｃ１  棒心ＦＡ  フォーク爪部材Ｇ  間隔Ｍ  筒心
【発明を実施するための最良の形態】
【００２２】  本発明に係る最良の実施形態を図面に基づいて説明する。尚、以下に述べる実施形態は本発明を具体化した一例に過ぎず、本発明の技術的範囲を限定するものでない。  図１は本発明の一実施形態に係るフレキシブルコンテナバッグ利用容器を示す外観図、図２は前記フレキシブルコンテナバッグ利用容器を構成する部品を示す分解斜視図、図３は前記フレキシブルコンテナバッグ利用容器のフレキシブルコンテナバッグおよび固定部材を示す底面図、図４は前記フレキシブルコンテナバッグ利用容器のパレット部材を示す図であって、（ａ）は平面図、（ｂ）は正面図、（ｃ）は側面図、（ｄ）は底面図をそれぞれ示している。  各図において、この実施形態に係るフレキシブルコンテナバッグ利用容器１は、上面開口２Ａおよび底面２Ｂを有する有底筒状に形成された汎用市販のフレキシブルコンテナバッグ２と、上面開口３Ａおよび下面開口３Ｂを有してほぼ円筒状に形成された段ボール板製の剛性筒状体３と、フレキシブルコンテナバッグ２の下面２Ｃに固定される紙材製のパレット部材４と、パレット部材４をフレキシブルコンテナバッグ２に着脱自在に固定するための左右の固定構造６，６と、から構成されている。【００２３】  前記のフレキシブルコンテナバッグ２は、軽量、安価、強度および柔軟性に富む合成樹脂を原材料としてシート状に織ったものを縫製或いは貼り合せなどによって形成されたものであり、可撓性を有している。フレキシブルコンテナバッグ２の外周面には、吊り下げ搬送用の吊り手２Ｅ，２Ｅが縫製などで取り付けられている。また、フレキシブルコンテナバッグ２の底面２Ｂには、内容物取出用の取出し開口９が形成されている。この取出し開口９は、その開口縁部に縫糸８で縫着された蓋布１０により蓋止されている。この蓋布１０はその平面中央部分が筒状に形成されて垂れ下がっており、その筒部の先端開口は紐などで括られて閉止され（図７および図８参照）、内容物取出時に解かれて開口されるようになっている。【００２４】  そして、前記の剛性筒状体３は、中芯３Ｉが平面視で上から見て波形に見える向きに配置された段ボール板３Ｇを用いて（図６における円Ｂ内の拡大図参照）、周方向に連続した多角筒状に形成されている。段ボール板３Ｇは、２枚のライナ３Ｈ，３Ｈ間に波形の中芯３Ｉが挟まれて接着剤で固着されている汎用品である。【００２５】  前記のパレット部材４は、左右に離間配置された段ボール板積層材製の２つの側棒材４Ａ，４Ａと、２つの側棒材４Ａ，４Ａを載置した紙シート積層板製の下平板材４Ｂと、２つの側棒材４Ａ，４Ａの上面に載置された紙シート積層板製の上平板材４Ｃと、２つの側棒材４Ａ，４Ａの間に且つ上平板材４Ａと下平板材４Ｂの間に配置された段ボール板積層材製の支持用棒材４Ｄと、から構成されている。上記の側棒材４Ａ，４Ａは、上平板材４Ｃおよび下平板材４Ｂにおける左右側端部に配置されている。このような構成のパレット部材４は、左右寸法（すなわち上平板材４Ｃまたは下平板材４Ｂの左右寸法に相当）が例えば７５０ｍｍに設定されている。但し、パレット部材４の左右寸法は７５０ｍｍに限定されるものでなく、種々の寸法のものを製作可能である。【００２６】  前記した２つの���棒材４Ａ，４Ａと支持用棒材４Ｄはいずれも、例えば８枚程の段ボール板４Ｈ，４Ｈ，４Ｈ，・・・を水平方向に積層して接着材７で固着したものである。各段ボール板４Ｈは２枚のライナ間に波形の中芯が挟持されている汎用品であり、いずれの段ボール板４Ｈ，４Ｈ，４Ｈ，・・・も平面視で中芯が波形に見える向きに配置されている。これらの側棒材４Ａ，４Ａと支持用棒材４Ｄは、それらの棒心Ｃ１，Ｃ１，Ｃ１を水平に向けて互いに平行に離間配置されている。この場合、左右両端の側棒材４Ａ，４Ａと支持用棒材４Ｄとの間は、フォークリフトのフォーク爪部材ＦＡ，ＦＡを挿通可能な左右の間隔Ｇの挿通用隙間４Ｆ，４Ｆとして形成されている。また、下平板材４Ｂは、２つの側棒材４Ａ，４Ａの下面を載置した状態で接着剤などで固着されている。そして、上平板材４Ｃは、２つの側棒材４Ａ，４Ａの上面に載置された状態で接着剤などで固着されている。これらの下平板材４Ｂおよび上平板材４Ｃはいずれも、紙シートを複数層に積層し層間を接着剤で固めた紙シート積層板で構成されている。上記のような固着態様は、接着剤以外を用いる別の固着手段によるものでも構わない。【００２７】  前記のパレット部材４をフレキシブルコンテナバッグ２に固定するための固定構造６は、フレキシブルコンテナバッグ２の下面２Ｃに固着された布状の固定部材５と、パレット部材４の上平板材４Ｃに上下連通して形成された連通穴４Ｅと、パレット部材４の下平板材４Ｂに上下連通して形成された連通穴４Ｇと、から構成されている。連通穴４Ｅ，４Ｅは、上平板材４Ｃにおいて２つの側棒材４Ａ，４Ａに対し左右方向の内側位置に上下貫通したスリット状に形成されている。このように、連通穴４Ｅが細長いスリット状に形成されていることにより、連通穴４Ｅに通された固定部材５をその規定位置に正確に位置決めすることができる。一方、連通穴４Ｇ，４Ｇは、下平板材４Ｂにおいて側棒材４Ａ，４Ａに対し左右方向の内側位置に上下貫通して形成されている。各連通穴４Ｇは各連通穴４Ｅの直下位置にあり、各連通穴４Ｅよりも大きな穴にされている。これは、固定部材５の巻付け布部５Ｂを連通孔４Ｅに通すときに連通穴４Ｇから手を差し入れて作業をしやすくするためである。【００２８】  前記の固定部材５は、全体が例えば帯布素材で主に構成されている。この帯布素材は、フレキシブルコンテナバッグ２の下面２Ｃに縫着されて固定される固定布部５Ａと、固定布部５Ａの一端部から延在する巻付け布部５Ｂと、固定布部５Ａの他端部から延在する巻付け布部５Ｃと、から構成されている。更に、固定部材５は、巻付け布部５Ｂの一面に縫着された例えばループ型の面ファスナ５Ｄと、巻付け布部５Ｃの他面に縫着された例えばフック型の面ファスナ５Ｅと、を備えている。２つの固定部材５，５の固定布部５Ａ，５Ａは、左右に離間して配置される。このような配置の固定布部５Ａ，５Ａがフレキシブルコンテナバッグ２の下面２Ｃに例えば縫糸８で縫着される。【００２９】  上記のように構成されたフレキシブルコンテナバッグ利用容器１の作用を次に説明する。  まず、フレキシブルコンテナバッグ２が天地反転姿勢にして置かれ、固定部材５，５の帯布素材全体が展開される。その状態��、同じく天地反転姿勢にされたパレット部材４の上平板材４Ｃが固定布部５Ａ，５Ａ上に載せられる。そして、それぞれの、巻付け布部５Ｂが連通孔４Ｅ，４Ｇを通され側棒材４Ａに巻き付けられて外側面に当てがわれたのち、巻付け布部５Ｃが側棒材４Ａを覆い包んで前記の巻付け布部５Ｂに重ね合わせられる。この時、面ファスナ５Ｅが面ファスナ５Ｄと係合することにより、図５に示すように、巻付け布部５Ｂと巻付け布部５Ｃが係止されて固定される。すなわち、固定構造６は、各固定部材５が連通穴４Ｅ，４Ｇを通されて側棒材４Ａに巻き付けられることにより、パレット部材４をフレキシブルコンテナバッグ２に着脱自在に固定するのである。このように、パレット部材４を固定されたフレキシブルコンテナバッグ２が上下反転されたのち、フレキシブルコンテナバッグ２内に、上下開口３Ａ，３Ｂを縦向きにした剛性筒状体３が上面開口２Ａから収容されていき、フレキシブルコンテナバッグ２の内周面２Ｄに沿って配置される。その後、剛性筒状体３の下端部がフレキシブルコンテナバッグ２の底面２Ｂに置かれる。このとき、パレット部材４の２つの側棒材４Ａ，４Ａ、支持用棒材４Ｄおよび上平板材４Ｃは、フレキシブルコンテナバッグ２の底面２Ｂを隔てて間接的に剛性筒状体３の下端面を載置し支持している。また、剛性筒状体３の外周面３Ｄはフレキシブルコンテナバッグ２の内周面２Ｄを押し広げている。このようにして、図６および図７に示したフレキシブルコンテナバッグ利用容器１ができ上がる。【００３０】  そして、図８に示すように、床上などに置かれた下段のフレキシブルコンテナバッグ利用容器１の剛性筒状体３内に、商品などの内容物Ｊが詰め込まれる。このとき、剛性筒状体３は剛体なので、内容物Ｊを収容しても上下方向に変形したり潰れたりしない。尚、フレキシブルコンテナバッグ２の上面開口２Ａに、図８中の２点鎖線で示した口布部Ｋが配備されていれば、内容物Ｊの詰め込み後に、口布部Ｋの開口部分を束ねて上面開口２Ａを閉じることができる。  このように内容物Ｊを収容した下段のフレキシブルコンテナバッグ利用容器１の上に、図８に示したように、別のフレキシブルコンテナバッグ利用容器１を載せることができる。このとき、下段のフレキシブルコンテナバッグ利用容器１の剛性筒状体３の上端面に、上段のフレキシブルコンテナバッグ利用容器１のパレット部材４が載置される。その場合に、剛性筒状体３は剛体なので、上方に別のフレキシブルコンテナバッグ利用容器１が載せられても変形したり潰れたりしない。このようにして、複数のフレキシブルコンテナバッグ利用容器１，１が上下に積み重ねられるのである。因みに、上段のフレキシブルコンテナバッグ利用容器１内には、例えばアルミ蒸着シートなどで構成された内袋Ｈが装填されている。そして、この内袋Ｈ内に、例えば粉体商品などの内容物Ｊ（１）が収容されている。【００３１】  以上に述べたように、この実施形態によれば、複数のフレキシブルコンテナバッグ利用容器１，１を上下に積み重ねておくことができる。剛性筒状体３自体の剛性により積重可能数は異なるが、内容物ＪまたはＪ（１）を含む総重量１５０ｋｇ程度のフレキシブルコンテナバッグ利用容器１を、上下��段（計５００ｋｇ程度）に積み重ねても、保管状態に支障を生じなかった。このように、上下に複数段積み重ねて置けるから、内容物を収容したフレキシブルコンテナバッグ利用容器１の保管スペースが小さくて済むという効果がある。そして、このフレキシブルコンテナバッグ利用容器１は、汎用で入手容易なフレキシブルコンテナバッグ２と、段ボール板紙材製の剛性筒状体３と、紙材製のパレット部材４と、布材製の固定部材５，５と、から構成されているので、極めて簡素で安価な構造となり得る。また、このフレキシブルコンテナバッグ利用容器１は、金属製部品を使用していないから、長期使用後の寿命により廃棄する際にも、紙材という可燃物のみであるから、金属製部品の分別・除去を必要としない。従って、分別作業の手間と時間を浪費することが無く、エコロジー実現の観点からも有用となる。【００３２】  また、パレット部材４の２つの側棒材４Ａ，４Ａおよび支持用棒材４Ｄはフォークリフトのフォーク爪部材ＦＡを挿通可能な位置である間隔Ｇを隔てて配置されているので、フォーク爪部材ＦＡを使用してフレキシブルコンテナバッグ利用容器１を持ち上げることができる。これにより、フレキシブルコンテナバッグ利用容器１の持上げ、運搬、積上げなどの作業を効率よく迅速に行なうことができる。そして、パレット部材４を着脱自在に固定するための固定構造６を有しているので、フレキシブルコンテナバッグ２の下面２Ｃに対しパレット部材４を固定したり取り外したりすることができる。従って、フォークリフトのフォーク爪部材ＦＡを使用しない場合、フレキシブルコンテナバッグ利用容器１を上下複数段に積み重ねしない場合、フレキシブルコンテナバッグ２を別途に保管しておく場合、または、用済みのフレキシブルコンテナバッグ利用容器１を廃棄するような場合に、パレット部材４をフレキシブルコンテナバッグ２から取り外した状態にすることができる。更には、前後左右の寸法や材質が異なるパレット部材に取り換えて固定し使用することも可能である。【００３３】  そうして、パレット部材４の側棒材２Ａ，２Ａおよび支持用棒材２Ｄは、水平方向に積層されて相互に固着された複数枚の段ボール板４Ｈ，４Ｈ，４Ｈ，・・・で構成されているので、金属製品や合成樹脂成型品のパレットの代替材料として段ボール板４Ｈを用いたにも拘わらず、比較的高い機械的強度を有している。また、パレット部材４は大部分の紙材とわずかな接着剤とから構成されているので、極めて入手容易で安価な紙材を使用して軽量でありながら耐荷重性能が高いうえ、金属製部品を使用しなくて済むという利点がある。【００３４】  そして、剛性筒状体３が、中芯３Ｉが平面視で波形に見える向きに配置された段ボール板３Ｇで筒状に形成されているので、入手容易かつ安価に製造できるのは無論のこと、上下方向の機械的強度が高いので、複数のフレキシブルコンテナバッグ利用容器１，１，・，・の上下段積みにも耐えることができる。加えて、剛性筒状体３の周方向に関するいずれの部位にも上下方向の折り曲げ線を創り出せるので、フレキシブルコンテナバッグ２の内周面２Ｄの形状に応じて剛性筒状体３の筒形状を変えることができる。また、保管時には、創出した折り曲げ線��剛性筒状体３を折り返して折り畳んだ状態にすることにより、コンパクトに保管することができ、持ち運びにも便利である。【００３５】  尚、上記した実施形態では、剛性筒状体として、周方向全周にわたってつながっている剛性筒状体３を例示したが、本発明はそれに限定されない。例えば、図９（ａ）に示すように、段ボール板３Ｇが筒心Ｍ方向に沿って切断されて周方向に切り離されている剛性筒状体３ａも、本発明に含まれる。この剛性筒状体３ａにおける周方向両端は、切断端面３Ｅと切断端面３Ｆになっている。  この剛性筒状体３ａは、図１０（ａ）に示すように、周方向に切り離されているので、周方向のほぼ中央位置の折り曲げ線３Ｊの位置で折り返して２つ折りに畳むことができる。このように畳めると、剛性筒状体３ａの保管スペースが極めて小さくて済み、持ち運びも容易に行なうことができる。【００３６】  また、上記では段ボール板製の剛性筒状体３，３ａを例示したが、図９（ｂ）に示すような剛性筒状体３ｂも本発明に含まれる。この剛性筒状体３ｂは、例えば長尺の紙シート３Ｃが１０層程度巻かれて円筒状に形成され層間が接着剤で固着された円筒体、いわゆるファイバードラムの筒状本体を原材料として製作したものである。すなわち、この筒状本体の外周面の一箇所を筒心方向に切断したものを、剛性筒状体３ｂとしている。この剛性筒状体３ｂにおける周方向両端も切断端面３Ｅと切断端面３Ｆである。  この剛性筒状体３ｂは、図１０（ｂ）に示すように、複数枚の剛性筒状体３ｂ，３ｂ，３ｂ，・・・を重ね合わせて纏めることができる。これにより、全周がつながっている円筒体状に形成された剛性筒状体（図９（ｃ）参照）と比べて、大きなスペースを無駄に使うことなく、多数の剛性筒状体３ｂ，３ｂ，３ｂ，・・・を保管することができる。尚、図示のように、切断端面３Ｅ，３Ｅ，３Ｅ，・・・または切断端面３Ｆ，３Ｆ，３Ｆ，・・・を纏めて揃えておけば、見栄えよく保管できるし、個々の剛性筒状体３ｂの取り出しも容易になる。【００３７】  そして、上記では、円筒体を筒心Ｍ方向に切断して成る剛性筒状体３ａ，３ｂを用いた例を示したが、本発明はそれに限定されない。例えば、図９（ｃ）に示すように、全周方向に連続する紙シート３Ｃ製の円筒体そのものを剛性筒状体３ｃとして用いることも可能である。その場合、円筒体状の剛性筒状体３ｃは、既述のように切り欠かれた剛性筒状体３ａ，３ｂと比べて、フレキシブルコンテナバッグ２の内径に対する外周面３Ｄの適応性は劣るが、径方向の剛性および寸法安定性が高いという利点がある。【００３８】  また、上記では、パレット部材４は紙材を原材料として製作したが、紙材に替え、例えば木材、積層ベニヤ板材、高密度圧縮木質材といった、木質材などの可燃物を原材料として用いることも可能である。尚、本発明の効果を奏する上で金属製のパレット部材も一応使用は可能であるが、エコロジーを実現しようとする観点からすると、使用を控えることが望ましい。
【図１】
2018073856.tif 000003
【図２】
2018073856.tif 000004
【図３】
2018073856.tif 000005
【図４】
2018073856.tif 000006
【図５】
2018073856.tif 000007
【図６】
2018073856.tif 000008
【図７】
2018073856.tif 000009
【図８】
2018073856.tif 000010
【図９】
2018073856.tif 000011
【図１０】
2018073856.tif 000012
【国際調査報告】
2018073856.tif 000013
2018073856.tif 000014
2018073856.tif 000015
2018073856.tif 000016